(57)【特許請求の範囲】
【請求項１】
母屋上に設けられた吊子取付部材と、吊子取付部材に固定手段で固定され、上端にはぜ受け部を有する吊子と、屋内側に断熱材を裏張りし、両端にはぜ部を有する金属折板とを備え、
前記金属折板に裏張りされた断熱材の厚さが、金属折板の斜辺部からはぜ部の立ち上がり部分を始点とした該斜辺部と平行な平行面までの距離未満であり、
金属折板のはぜ部が嵌合させられたはぜ受け部を有する吊子と当該吊子が固定された吊子取付部材とが、金属折板のはぜ部のはぜ立ち上がり部分を始点とした金属折板の斜辺部分と平行な平行面と母屋の上面とで囲まれる略三角形断面範囲内に配置させられ、吊子及び吊子取付部材が断熱材を圧密しないことを特徴とする折板屋根の支持構造。
【請求項２】
上記吊子取付部材又は上記吊子の両側に上記金属折板に裏張りされた断熱材の斜辺部の一部を受ける断熱材受け材をそれぞれ取り付けたことを特徴とする請求項１記載の折板屋根の支持構造。
【請求項３】
母屋上に設けられた吊子取付部材と、吊子取付部材に固定手段で固定され、上端にはぜ受け部を有する吊子とを備え、
屋内側に断熱材を裏張りし、両端にはぜ部を有する金属折板のはぜ部が嵌合させられたはぜ受け部を有する吊子と、当該吊子が固定された吊子取付部材とが、金属折板のはぜ部のはぜ立ち上がり部分を始点とした金属折板の斜辺部分と平行な平行面と母屋の上面とで囲まれる略三角形断面範囲内に配置可能な大きさ、形状であることを特徴とする折板屋根の支持部材。
【請求項４】
母屋上に設けられた吊子取付部材と、吊子取付部材に固定手段で固定され、上端にはぜ受け部を有する吊子と、屋内側に断熱材を裏張りし、両端にはぜ部を有する金属折板とを備えた折板屋根の支持方法であって、
前記金属折板に裏張りされた断熱材の厚さを、金属折板の斜辺部からはぜ部の立ち上がり部分を始点とした該斜辺部と平行な平行面までの距離未満とし、
金属折板のはぜ部が嵌合させられたはぜ受け部を有する吊子と当該吊子が固定された吊子取付部材を、金属折板のはぜ部のはぜ立ち上がり部分を始点とした金属折板の斜辺部分と平行な平行面と母屋の上面とで囲まれる略三角形断面範囲内に配置し、吊子及び吊子取付部材が断熱材を圧密しないようにしたことを特徴とする折板屋根の支持方法。
【発明の詳細な説明】
【０００１】
【発明の属する技術分野】
本発明は例えば広く建築物の屋根の支持構造に関し、特に金属折板を用いた建築物の折板屋根の支持構造、支持部材及び支持方法に関するものである。
【０００２】
【従来の技術】
図６は従来の折板屋根の支持構造を示す断面図、図７は図６のＡ−Ａ線断面図、図８は従来の断熱折板屋根の支持構造を示す断面図、図９は図８のＢ−Ｂ線断面図である。
図において、１は建築物の母屋、２は母屋１上に設置したタイトフレーム、３はタイトフレーム２に締着具であるボルト４ａとナット４ｂによって固定された吊子、３ａは吊子３の下端側に設けられた貫通穴、５はタイトフレーム２と吊子３によって支持される両端にはぜ部５ａを有する金属折板である。
【０００３】
このようなはぜ式の金属折板５の場合、タイトフレーム２は通常、鋼帯をプレス成型加工するなどして金属折板５の略断面形状に構成される。
そして、タイトフレーム２が金属折板５と同様の断面形状を呈する場合は、母屋１上に設置されたタイトフレーム２の両端側の上部水平部分から直角に下方に折れ曲がった両端部２ａに吊子固定用のボルト穴６が開けられており、隣り合うタイトフレーム２の両端部２ａの間に吊子３の下端側を介装させ、その両端部２ａの吊子固定用のボルト穴６と吊子３の貫通穴３ａにボルト４ａを螺合し、そのボルト４ａにナット４ｂを締着することにより、隣り合うタイトフレーム２の両端部２ａに吊子３を固定するようにしている。このとき、吊子３の高さはタイトフレーム２の上部水平部分が金属折板５のはぜ部５ａに隣接する水平肩部分５ｂを支持可能な高さとほぼ同一の高さとなるように設定する。
【０００４】
次いで、隣り合うタイトフレーム２の両端部２ａに固定された吊子３に隣り合う金属折板５の両端部のはぜ部５ａを嵌合させ、金属折板５の仮葺きを行う。その際、金属折板５は隣り合う金属折板５に対して、はぜ部５ａが下側となる側から葺き、当該はぜ部５ａに次に葺く金属折板５のはぜ部５ａをかぶせて順次仮葺きを進める。
金属折板５の仮葺きが終了した後、はぜ締め機を用いてはぜ部５ａを締め込み、折板屋根が構成される。
また、断熱折板の支持構造では特開平１０−２４５９４０号公報に記載の断熱屋根構造がある。これは母屋上に設置するタイトフレーム間の折板を架設する長手方向に断熱支持材を架設し、その後その架設した断熱支持材上に断熱材を載置し、その上に折板屋根を敷設した断熱屋根工法である。
【０００５】
【発明が解決しようとする課題】
上記のような従来の折板屋根の支持構造では、隣り合うタイトフレーム２の両端部２ａに固定された吊子３に金属折板５の両端部のはぜ部５ａを嵌合させ、タイトフレーム２と吊子３とで金属折板５を支持するものであるが、金属折板５を葺いた場合に、図６に示すようにタイトフレーム２と金属折板５に数ｍｍの隙間を生じて固定される。
また、この支持構造ではタイトフレーム２の全体で直接金属折板５の全体を支持していないばかりか、上部水平部分で金属折板５のはぜ部５ａ近傍の水平部分も支持しておらず、タイトフレーム２の形状を金属折板５の略断面形状とする合理的根拠がなく、その形状、加工に無駄があるものであった。
さらに、図８に示すように金属折板５の裏面に表面被覆シート８で覆われたマット状の断熱材７を配置して構成した断熱折板屋根の場合、断熱材７の厚さが厚くなったときには、金属折板５とタイトフレーム２の間に断熱材７が挟み込まれることにより、金属折板５の設置が不能となるか、設置が可能だった場合でも、断熱材７の圧密により断熱性能が著しく低下するという問題があった。
【０００６】
また、図８に示すように、タイトフレーム２の端部側の上部水平部分と斜辺部分との接点部分（肩部分）や図９に示すようにタイトフレーム２の縁部分が断熱材７に強く押し込まれるため、表面被覆シート８や断熱材７が切断されてしまう危険がある。その場合、冬季においては断熱材７の内部に結露を生じる危険もあり、本来の断熱折板屋根の機能を発揮できなくなる可能性が高い。
また、吊子３の高さは若干調整が可能で、タイトフレーム２と金属折板５の間隔を５〜１０ｍｍ程度あけられるものもあるが、例えば断熱材７を５０ｍｍ厚のロックウール或いはグラスウールとした場合では、上記の問題の解決は困難であった。
そこで、断熱材７の厚さによって吊子３を変更することで対処することも考えられるが、例えば、断熱材なし、厚さ２５ｍｍ用、５０ｍｍ用の吊子３を用意することはコストアップにつながり、また誤使用によって現場でトラブルになる可能性も考えられる。
【０００７】
さらに、特開平１０−２４５９４０号公報に記載の断熱屋根構造は、断熱材と折板を別工程で施工するため、本願出願人が既に出願し、出願公開された特開平７−１５０６９７号公報に記載の金属複合屋根の施工方法に比べて工数が多い。また、特開平７−１５０６９７号公報に記載のはぜ式の金属複合屋根材を施工する場合、従来のタイトフレーム式の支持構造と同様にタイトフレーム上片部で表面被覆材及び断熱材を圧密、切断等の損傷を与える危険は解決されていない。
【０００８】
本発明は、このような問題点を解決するためになされたものであり、タイトフレームの無駄をなくして金属折板を支持でき、さらに任意の厚さの断熱材を裏張りした折板屋根においても、断熱材を圧密、或いは切断するおそれがなく、断熱性能や耐久性が損なわれず、コストも上昇しない折板屋根の支持構造を得ることを目的とする。
【０００９】
【課題を解決するための手段】
本発明に係る折板屋根の支持構造は、母屋上に設けられた吊子取付部材と、吊子取付部材に固定手段で固定され、上端にはぜ受け部を有する吊子と、屋内側に断熱材を裏張りし、両端にはぜ部を有する金属折板とを備え、前記金属折板に裏張りされた断熱材の厚さが、金属折板の斜辺部からはぜ部の立ち上がり部分を始点とした該斜辺部と平行な平行面までの距離未満であり、金属折板のはぜ部が嵌合させられたはぜ受け部を有する吊子と当該吊子が固定された吊子取付部材とが、金属折板のはぜ部のはぜ立ち上がり部分を始点とした金属折板の斜辺部分と平行な平行面と母屋の上面とで囲まれる略三角形断面範囲内に配置させられ、吊子及び吊子取付部材が断熱材を圧密しないようにしたものである。
また、上記吊子取付部材又は上記吊子の両側に上記金属折板に裏張りされた断熱材の斜辺部の一部を受ける断熱材受け材をそれぞれ取り付けたものである。
【００１０】
本発明に係る折板屋根の支持部材は、母屋上に設けられた吊子取付部材と、吊子取付部材に固定手段で固定され、上端にはぜ受け部を有する吊子とを備え、屋内側に断熱材を裏張りし、両端にはぜ部を有する金属折板のはぜ部が嵌合させられたはぜ受け部を有する吊子と、当該吊子が固定された吊子取付部材とが、金属折板のはぜ部のはぜ立ち上がり部分を始点とした金属折板の斜辺部分と平行な平行面と母屋の上面とで囲まれる略三角形断面範囲内に配置可能な大きさ、形状としたものである。
【００１１】
本発明に係る折板屋根の支持方法は、母屋上に設けられた吊子取付部材と、吊子取付部材に固定手段で固定され、上端にはぜ受け部を有する吊子と、屋内側に断熱材を裏張りし、両端にはぜ部を有する金属折板とを備えた折板屋根の支持方法であって、前記金属折板に裏張りされた断熱材の厚さを、金属折板の斜辺部からはぜ部の立ち上がり部分を始点とした該斜辺部と平行な平行面までの距離未満とし、金属折板のはぜ部が嵌合させられたはぜ受け部を有する吊子と当該吊子が固定された吊子取付部材を、金属折板のはぜ部のはぜ立ち上がり部分を始点とした金属折板の斜辺部分と平行な平行面と母屋の上面とで囲まれる略三角形断面範囲内に配置し、吊子及び吊子取付部材が断熱材を圧密しないようにしたものである。
【００１２】
本発明の折板屋根の支持構造及び支持方法においては、母屋上に設けられた吊子取付部材と、吊子取付部材に固定手段で固定され、上端にはぜ受け部を有する吊子と、屋内側に断熱材を裏張りし、両端にはぜ部を有する金属折板とを備え、前記金属折板に裏張りされた断熱材の厚さが、金属折板の斜辺部からはぜ部の立ち上がり部分を始点とした該斜辺部と平行な平行面までの距離未満であり、金属折板のはぜ部が嵌合させられたはぜ受け部を有する吊子と当該吊子が固定された吊子取付部材とが、金属折板のはぜ部のはぜ立ち上がり部分を始点とした金属折板の斜辺部分と平行な平行面と母屋の上面とで囲まれる略三角形断面範囲内に配置させられ、吊子及び吊子取付部材が断熱材を圧密しないようにしたから、金属折板に断熱材が裏張りされたとしても、その断熱材の厚さは金属折板の斜辺部からはぜ部の立ち上がり部分を始点とした該斜辺部と平行な平行面までの距離以上になることはないため、任意の厚さの断熱材を金属折板に裏張りした断熱折板屋根においても、吊子と吊子取付部材とが断熱材を圧密、或いは切断する危険がなくなり、断熱性能や耐久性が損なわれることもなく、しかも断熱材を裏張りしない金属折板に用いられる吊子と吊子取付部材と同一のものの使用でよいため、誤使用による現場のトラブルがなく、かつコストも上昇しない。
【００１３】
本発明の折板屋根の支持構造においては、吊子取付部材又は吊子の両側に金属折板に裏張りされた断熱材の斜辺部の一部を受ける断熱材受け材をそれぞれ取り付けたから、断熱材が脱落する危険がなく、また常時は断熱材を圧密せずに保持が可能となり、耐久性の保持に効果がある。
【００１４】
本発明の折板屋根の支持部材においては、母屋上に設けられた吊子取付部材と、吊子取付部材に固定手段で固定され、上端にはぜ受け部を有する吊子とを備え、屋内側に断熱材を裏張りし、両端にはぜ部を有する金属折板のはぜ部が嵌合させられたはぜ受け部を有する吊子と、当該吊子が固定された吊子取付部材とが、金属折板のはぜ部のはぜ立ち上がり部分を始点とした金属折板の斜辺部分と平行な平行面と母屋の上面とで囲まれる略三角形断面範囲内に配置可能な大きさ、形状にさせられたから、金属折板と同様の断面形状を有するタイトフレームと同様の機能を確保しつつ、材料費が減り、施工・加工コストが低減され、しかも折板屋根全体が軽くなる。
【００１５】
【発明の実施の形態】
実施の形態１．
図１は本発明の実施の形態１に係る断熱折板屋根の支持構造を示す断面図である。図において、従来例と同一の構成は同一符号を付して重複した構成の説明を省略する。
１０は高さが１５０ｍｍのＬ字状の吊子取付部材で、Ｌ−１５０×９０、板厚９ｍｍの不等辺山形鋼を幅５０ｍｍに切り出して形成されている。この吊子取付部材は母屋１の上フランジ上に幅方向が母屋と直交方向となるように５００ｍｍ間隔で配置され、溶接或いはボルト等の固定手段で固定されている。１１は母屋１の上フランジ上に固定された吊子取付部材１０の立ち上がり部に形成された円形の吊子取付用ボルト穴である。１２は吊子取付部材１０に取り付けられる吊子、１３は吊子１２の下端側に形成された取付穴、１４は吊子１２の上端に形成されたはぜ受け部である。
【００１６】
次に、本発明の実施の形態１の断熱折板屋根の支持構造について説明する。
まず、母屋１の上フランジ上に固定された吊子取付部材１０の吊子取付用ボルト穴１１に吊子１２の取付穴１３を整合させ、これらの吊子取付用ボルト穴１１と取付穴１３にボルト１５を螺合し、そのボルト１５にナット１６を締着して吊子取付部材１０に吊子１２を取り付ける。
次に、その吊子１２に金属折板５の端部に設けられたはぜ部５ａをそれぞれ嵌合させ、金属折板５の仮葺きを行う。その際、金属折板５は隣り合う金属折板５に対して、はぜ部５ａが下側となる側から葺き、当該はぜ部５ａに次に葺く金属折板５のはぜ部５ａをかぶせて順次仮葺きを進める。このとき、吊子取付部材１０とその吊子取付部材１０に固定された吊子１２とが、金属折板５のはぜ部５ａのはぜ立ち上がり部分を始点とした金属折板５の斜辺部分と平行な平行面と母屋１の上面とで囲まれる略三角形断面範囲内に配置させられている。
こうして金属折板５の仮葺きが終了したあと、はぜ締め機をもちいてはぜ部５ａを締め込み、吊子１２に金属折板５が支持された折板屋根が構成される。
【００１７】
このように、金属折板５のはぜ部５ａが嵌合させられたはぜ受け部１４を有する吊子１２と当該吊子１２が固定手段であるボルト１５とナット１６とで固定された吊子取付部材１０とが、金属折板５のはぜ部５ａのはぜ立ち上がり部分を始点とした金属折板５の斜辺部分と平行な平行面と母屋１の上面とで囲まれる略三角形断面範囲内に配置可能な大きさ、形状にさせられたから、金属折板５と同様の断面形状を有するタイトフレームと同様の機能を確保しつつ、材料費が減り、施工・加工コストが低減され、しかも折板屋根全体が軽くなる。
【００１８】
実施の形態２．
図２は本発明の実施の形態２に係る断熱折板屋根の支持構造を示す断面図、図３は同断熱折板屋根の支持構造に用いられる吊子取付部材の変形例を示す断面図である。
この実施の形態２は、実施の形態１の金属折板５に断熱材７が裏張りされた例を示すもので、それ以外の構成は実施の形態１と同様である。
この実施の形態２では、母屋１の上フランジ上に固定された吊子取付部材１０に吊子１２を取り付けた後、その吊子１２に断熱材７が裏張りされた金属折板５の端部に設けられたはぜ部５ａをそれぞれ嵌合させ、金属折板５の仮葺きを行う。
【００１９】
その際、金属折板５は隣り合う金属折板５に対して、はぜ部５ａが下側となる側から葺き、当該はぜ部５ａに次に葺く金属折板５のはぜ部５ａをかぶせて順次仮葺きを進める。このとき、吊子取付部材１０とその吊子取付部材１０に固定された吊子１２とが、金属折板５のはぜ部５ａのはぜ立ち上がり部分を始点とした金属折板５の斜辺部分と平行な平行面と母屋１の上面とで囲まれる略三角形断面範囲内に配置させられている。
こうして金属折板５の仮葺きが終了した後、はぜ締め機を用いてはぜ部５ａを締め込み、吊子１２に断熱材７が裏張りされた金属折板４が支持された断熱折板屋根が構成される。
【００２０】
このように、金属折板５のはぜ部５ａが嵌合させられたはぜ受け部１４を有する吊子１２と当該吊子１２が固定手段であるボルト１５とナット１６とで固定された吊子取付部材１０とが、金属折板５のはぜ部５ａのはぜ立ち上がり部分を始点とした金属折板５の斜辺部分と平行な平行面と母屋１の上面とで囲まれる略三角形断面範囲内に配置させられたから、金属折板５に断熱材７が裏張りされたとしても、その断熱材７の厚さは金属折板５の斜辺部分からはぜ部５ａのはぜ立ち上がり部分を始点とした該斜辺部分と平行な平行面までの距離以上になることはないため、任意の厚さの断熱材７を金属折板５に裏張りした折板屋根においても、吊子１２と吊子取付部材１０とが断熱材７を圧密、或いは切断する危険がなくなり、断熱性能や耐久性が損なわれることもなく、しかも断熱材７を裏張りしない金属折板５に用いられる吊子１２と吊子取り付け部材１２と同一のものの使用でよいため、誤使用による現場のトラブルがなく、かつコストも上昇しない。
【００２１】
上記実施の形態１、２の吊子取付部材１０は最低１個以上の円形の吊子取付用ボルト穴１１を有しているが、この吊子取付用ボルト穴１１は、楕円形でもよく、またボルトの周り止め対策など、その他必要に応じて四角形やその他の形状でも良い。
また、母屋１上に所定間隔で吊子取付部材１０をそれぞれ取り付けてなる例について述べたが、吊子取付部材１０を予め所定の間隔で配した部材を母屋１上に設置するようにしてもよい。
さらに、Ｌ字状の吊子取付部材１０に剛性確保のために、図３の（ａ）に示すように吊子取付部材１０の立ち上がり部にリブ１８を設けて補剛措置をとっても良い。
【００２２】
また、吊子取付部材１０は不等辺山形鋼から形成されたＬ字状に限定するわけでなく、図３の（ｂ）に示すようにパイプの上部を扁平につぶし、その扁平部分に吊子取付用ボルト穴１１を設けたものや、図３の（ｃ）に示すように略Ｌ字状で、立ち上がり部に折れ曲がり部を形成した吊子取付部材１０を一対組み合わせたものでもよく、金属折板５のはぜ部５ａ近傍の上部水平部分を支持する構成を有せず、金属折板５に裏張りした断熱材７と干渉することのない形状、寸法であれば、任意の形状、寸法を選択することができる。
【００２３】
実施の形態３．
図４は本発明の実施の形態３に係る断熱折板屋根の支持構造を示す断面図、図５は同断熱折板屋根の支持構造の変型例を示す断面図である。
この実施の形態３は、吊子取付部材１０の両側に断熱材７を受ける断熱材受け材２０を取り付けたものである。
この断熱材受け材２０は吊子取付部材１０の幅と同程度の幅のアルミ板材を折り曲げて形成したもので、断熱材７の勾配と略同一の勾配を有する断熱材受け部２０ａと、断熱材受け部２０ａの端部から折れ曲がって水平な水平部２０ｂと、水平部２０ｂの端部から直角に下方に折れ曲がり、取付穴２１を有する取付部２０ｃとからなる。また、吊子取付部材１０には受け材取付穴２２が設けられている。
【００２４】
かかる断熱材受け材２０の吊子取付部材１０への取り付けは次のようにして行う。
吊子取付部材１０の両側にそれぞれ断熱材受け材２０の取付部２０ｃを当接させ、吊子取付部材１０の受け材取付穴２２に取付部２０ｃの取付穴２１を整合させ、整合したこれらの穴にボルト２３を螺合し、そのボルト２３にナット２４を締着して吊子取付部材１０の両側にそれぞれ断熱材受け材２０を取り付ける。
このようにして吊子取付部材１０の両側にそれぞれ取り付けられた断熱材受け材２０は、その断熱材受け部２０ａが金属折板５に裏張りされた断熱材７を受けているので、断熱材７が脱落する危険がなく、また常時は断熱材７を圧密せずに保持が可能となり、耐久性の保持に効果がある。
【００２５】
上記実施の形態３では、断熱材受け材２０の取付穴２１および吊子取付部材１０の受け材取付穴２２はそれぞれ円形で１箇所設けられているが、矩形あるいは長穴としてもよく、また裏張りされる断熱材の厚さ毎に取付穴２１あるいは受け材取付穴２２を複数個設けてもよい。
さらに、断熱材受け材２０は吊子取付部材１０の幅と同程度のアルミ板材で一体に形成したが、幅を母屋のフランジ幅あるいは複数の母屋間に亘るような長尺材として連続させてもよく、材料についてもアルミ以外の金属の他、ポリカーポネートなどの合成樹脂、その他任意の材料を使用してもよい。また、複数の部品により構成することも可能である。
【００２６】
図５は本発明の実施の形態３の変型例を示すもので、この断熱材受け材２０は取付部２０ｃが水平部２０ｂの端部から直角に上方に折れ曲がって形成されたものである。その断熱材受け材２０の取付部２０ｃは吊子１２を吊子取付部材１０に取り付けるボルト１５とナット１６とを共用させて取り付けるようにしたものである。
この変型例の作用、効果は実施の形態２と同様であるので、その説明は省略する。
この変型例では、吊子取付部材１０に受け材取付穴２２を設けなくとも済み、構成がより簡単になる。
上記実施の形態３の変型例は、実施の形態３と同様に、断熱材受け材２０の取付穴２１を円形、矩形で複数設けてもよく、幅や材料等も任意に選択できる。
【００２７】
【発明の効果】
以上のように本発明の折板屋根の支持構造及び支持方法によれば、母屋上に設けられた吊子取付部材と、吊子取付部材に固定手段で固定され、上端にはぜ受け部を有する吊子と、屋内側に断熱材を裏張りし、両端にはぜ部を有する金属折板とを備え、前記金属折板に裏張りされた断熱材の厚さが、金属折板の斜辺部からはぜ部の立ち上がり部分を始点とした該斜辺部と平行な平行面までの距離未満であり、金属折板のはぜ部が嵌合させられたはぜ受け部を有する吊子と当該吊子が固定された吊子取付部材とが、金属折板のはぜ部のはぜ立ち上がり部分を始点とした金属折板の斜辺部分と平行な平行面と母屋の上面とで囲まれる略三角形断面範囲内に配置させられ、吊子及び吊子取付部材が断熱材を圧密しないようにしたから、金属折板に断熱材が裏張りされたとしても、その断熱材の厚さは金属折板の斜辺部からはぜ部の立ち上がり部分を始点とした該斜辺部と平行な平行面までの距離以上になることはないため、任意の厚さの断熱材を金属折板に裏張りした断熱折板屋根においても、吊子と吊子取付部材とが断熱材を圧密、或いは切断する危険がなくなり、断熱性能や耐久性が損なわれることもなく、しかも断熱材を裏張りしない金属折板に用いられる吊子と吊子取付部材と同一のものの使用でよいため、誤使用による現場のトラブルがなく、かつコストも上昇しないという効果がある。
【００２８】
また、本発明の折板屋根の支持構造によれば、吊子取付部材又は吊子の両側に金属折板に裏張りされた断熱材の斜辺部の一部を受ける断熱材受け材をそれぞれ取り付けたから、断熱材が脱落する危険がなく、また常時は断熱材を圧密せずに保持が可能となり、耐久性の保持に効果がある。
【００２９】
本発明の折板屋根の支持部材によれば、母屋上に設けられた吊子取付部材と、吊子取付部材に固定手段で固定され、上端にはぜ受け部を有する吊子とを備え、屋内側に断熱材を裏張りし、両端にはぜ部を有する金属折板のはぜ部が嵌合させられたはぜ受け部を有する吊子と、当該吊子が固定された吊子取付部材とが、金属折板のはぜ部のはぜ立ち上がり部分を始点とした金属折板の斜辺部分と平行な平行面と母屋の上面とで囲まれる略三角形断面範囲内に配置可能な大きさ、形状にさせられたから、金属折板と同様の断面形状を有するタイトフレームと同様の機能を確保しつつ、材料費が減り、施工・加工コストが低減され、しかも折板屋根全体が軽くなるという効果がある。
【図面の簡単な説明】
【図１】本発明の実施の形態１に係る断熱折板屋根の支持構造を示す断面図である。
【図２】本発明の実施の形態２に係る断熱折板屋根の支持構造を示す断面図である。
【図３】同断熱折板屋根の支持構造に用いられる吊子取付部材の変形例を示す断面図である。
【図４】本発明の実施の形態３に係る断熱折板屋根の支持構造を示す断面図である。
【図５】同断熱折板屋根の支持構造の変型例を示す断面図である。
【図６】従来の折板屋根の支持構造を示す断面図である。
【図７】図６のＡ−Ａ線断面図である。
【図８】従来の断熱折板屋根の支持構造を示す断面図である。
【図９】図８のＢ−Ｂ線断面図である。
【符号の説明】
１    母屋
５    金属折板
５ａ  はぜ部
１０    吊子取付部材で
１１    吊子取付用ボルト穴
１２    吊子
１３    取付穴
１４    はぜ受部
１５    ボルト（固定手段）
１６    ナット（固定手段）
【図１】
0003887974.tif 000002
【図２】
0003887974.tif 000003
【図３】
0003887974.tif 000004
【図４】
0003887974.tif 000005
【図５】
0003887974.tif 000006
【図６】
0003887974.tif 000007
【図７】
0003887974.tif 000008
【図８】
0003887974.tif 000009
【図９】
0003887974.tif 000010